(57)【特許請求の範囲】
【請求項１】
リ−ル本体の両側板間にスプ−ルを回転自在に支持し、前記スプ−ルを巻き取り駆動するハンドルを両側板の一方側に支持した魚釣用両軸受型リ−ルにおいて、
前記リ−ル本体のフレ−ムと両側板の間の前後方向に板状のガ−ド部材をリ−ル本体の前記フレームと両側板の外周面より１ｍｍ以内に突出させて介在させたことを特徴とする魚釣用両軸受型リ−ル。
【発明の詳細な説明】
【技術分野】
【０００１】
本件発明は、リ−ル本体の両側板間に回転自在に支持したスプ−ルを、リ−ル本体の一方の側板側に設けられたハンドルの回転操作で巻き取り回転駆動することで、釣糸をスプ−ルに巻回する魚釣用両軸受型リ−ルに関する。
【背景技術】
【０００２】
従来から、この種の魚釣用両軸受型リ−ルは、リ−ル本体のフレ−ムおよび両側板の外周面にメッキ処理を施こして美観を向上させている。
しかしながら、リ−ルを下にして地面等に置いたり、リ−ルを下にして地面等に落下させてしまった時に、フレ−ムや両側板の外周面が損傷して美観を損ねてしまう恐れがあるという問題があった。
そこで、フレ−ムおよび両側板の上面又は全周に亘ってカバ−体を設け（貼付し）、リ−ルを下にして地面等に置いたり、落下させてしまった時でもフレ−ムや両側板の外周面が損傷するのを防止することを可能にしたものが特許文献１で知られている。
【特許文献１】特開平４−９１７３６号公報
【発明の開示】
【発明が解決しようとする課題】
【０００３】
解決しようとする問題点は、特許文献１に見られる構成の魚釣用両軸受型リ−ルは、ガ−ド部材（カバ−体）をフレ−ムおよび両側板の外周面に直に取り付けている為、リ−ルを分解して修理する際にガ−ド部材を取り外さなければならず、従って、ガ−ド部材を取り外すことによってフレ−ムおよび両側板の外周面に施されているメッキが剥がれたり、ガ−ド部材を何度も取り付け取り外しする事によってガ−ド部材に施されている粘着力が低下し、剥がれて紛失したりする。
又、フレ−ムおよび両側板の形状に関し、フレ−ムおよび両側板に取り付けられるガ−ド部材を剥がれにくくする為に、リ−ル本体および両側板にガ−ド部材が取り付けられる部位に平面部を形成しなければならないといった制約を受ける。
更に、ガ−ド部材がフレ−ムおよび両側板の上面または全周に亘って施されている為、リ−ルを握持した際の特異な違和感を与えるという問題がある。
【０００４】
本発明の目的は前記欠点に鑑み、フレ−ムおよび両側板の外周面を傷付けず、リ−ルを握持した際に特異な違和感を与えない魚釣用両軸受型リ−ルを提供することである。
【課題を解決するための手段】
【０００５】
本発明の請求項１は、リ−ル本体の両側板間にスプ−ルを回転自在に支持し、前記スプ−ルを巻き取り駆動するハンドルを両側板の一方側に支持した魚釣用両軸受型リ−ルにおいて、前記リ−ル本体のフレ−ムと両側板の間の前後方向に板状のガ−ド部材をリ−ル本体の前記フレームと両側板の外周面より１ｍｍ以内に突出させて介在させたことを要旨とするものである。
【発明の効果】
【０００６】
本発明の請求項１によれば、リ−ル本体のフレ−ムと両側板の間の前後方向に板状のガ−ド部材をリ−ル本体の前記フレームと両側板の外周面より１ｍｍ以内に突出させて介在させたことで、従来のようにガ−ド部材を取り外さなくてもリ−ルを分解して修理することが可能となり、又、フレ−ムおよび両側板の外周面に施されたメッキが剥がれることもなく、リ−ルの外観の意匠性を向上することができると共に、リ−ルを握持した際に手に違和感を与えず、且つ滑り止め効果が期待できる。
更に、板状のガ−ド部材の取り付け位置をリ−ル本体の上方（リール脚と反対側の上方）に限定することによって、リ−ルの重量増加を抑制することができると共に、手の小さい釣人にとってはガ−ド部材でしっかりと握持することが可能となる。又、ガ−ド部材の形状が簡単で安価に出来る。
【発明を実施するための最良の形態】
【０００７】
リ−ル本体Ａのフレ−ム１の両側枠部１ａ、１ｂの外側の側面の上方には夫々凹部１ｆ、１ｇが形成され、凹部１ｆ、１ｇ内に図示しないネジ孔が形成されている。
凹部１ｆ、１ｇには、板状のガ−ド部材４が夫々嵌め込まれてビスからなる固定部材１２で固定されている。
ガ−ド部材４の材質はステンレス合金等の硬質な金属が好ましいが、これに限定されず、硬質な合成樹脂を用いてもよい。
ガ−ド部材４はフレ−ム１の両側枠部１ａ、１ｂや両側板２、３の外周面αより上方（リール脚１０と反対側の上方）に僅か（１ｍｍ以内）突出させて固定されている。
ガ−ド部材４の前後の位置は、スプ−ル１１の真上両側でスプ−ル１１の前側（前側カ
バー１ｃ側）より幾分後側からスプ−ル１１の後側より後ろ側に及んでいる。
ガード部材４の後側の位置は、スプール１１の後側より後ろ側に及ぶのが好ましいが、これに限定されず、スプール１１の後側より前側に及んでもよい。
【実施例１】
【０００８】
以下、図面を参照しつつ本発明について説明する。
図１から図５は第１実施例で、図１は魚釣用両軸受型リ−ルの正面図、図２は魚釣用両軸受型リ−ルの平面図、図３は図２のＦ３−Ｆ３断面線のガ−ド部材とフレ−ムと側板を断面にした要部拡大断面正面図、図４は魚釣用両軸受型リ−ルの側面図、図５は魚釣用両軸受型リ−ルの側板のガ−ド部材位置を破截した側面図である。
【０００９】
リ−ル本体Ａはフレ−ム１とフレ−ム１の両側枠部１ａ、１ｂに取り付けられた右側側板２と左側側板３で構成されている。
フレ−ム１は両側枠部１ａ、１ｂと前側カバ−１ｃと上側カバ−１ｄとリ−ル脚１０の固定板１ｅが一体的に、かつ両側枠部１ａ、１ｂが平行に保持されている。
両側枠部１ａ、１ｂ間にはスプ−ル１１が図示しないスプ−ル軸に固定されて回転可能に支持されている。
フレ−ム１の両側枠部１ａ、１ｂの外側の側面の上方には夫々凹部１ｆ、１ｇが形成され、凹部１ｆ、１ｇ内に図示しないネジ孔が形成されている。
凹部１ｆ、１ｇには板状のガ−ド部材４が夫々嵌め込まれてビスからなる固定部材１２で固定されている。
【００１０】
ガ−ド部材４の材質はステンレス合金等の硬質な金属が好ましいが、これに限定されず、硬質な合成樹脂を用いてもよい。
ガ−ド部材４はフレ−ム１の両側枠部１ａ、１ｂや両側板２、３の外周面αより上方（リール脚１０と反対側の上方）に僅か（１ｍｍ以内）突出させて固定されている。
ガ−ド部材４の前後の位置は、スプ−ル１１の真上両側でスプ−ル１１の前側（前側カバー１ｃ側）より幾分後側からスプ−ル１１の後側より後ろ側に及んでいる。
ガード部材４の後側の位置は、スプール１１の後側より後ろ側に及ぶのが好ましいが、これに限定されず、スプール１１の後側より前側に及んでもよい。
ガ−ド部材４は色々な形状または色彩のガ−ド部材４を組み込み替えてもよい。
固定部材１２はビスなどが好ましいが、ピンネジとナットの組み合せやピンとＥリング
の組み合せ等、組み付き状態を固定維持するものであればよい。
【００１１】
図１、図２で左側側板３の外側にはハンドル１３が設けられてスプ−ル１１に図示しない釣糸が巻回される方向にハンドル１３が回転されると図示しない駆動歯車とピニオンを介してスプ−ル１１が回転される。
【００１２】
前記のようにフレ−ム１の両側枠部１ａ、１ｂや両側板２、３の外周面αより上方に僅か（１ｍｍ以内）突出させてガ−ド部材４が固定されていると、仮に誤ってリ−ルを下にして地面等に置いたり、落下させてしまった時でもフレ−ム１の両側枠部１ａ、１ｂや両側板２、３の外周面αが直接地面等に衝突することがない。
【００１３】
前記のように魚釣用両軸受型リ−ルが構成されると、リ−ル本体Ａのフレ−ム１の両側枠部１ａ、１ｂと両側板２、３の間に板状のガ−ド部材４をリ−ル本体Ａの外周面αより突出させて介在させたことで、従来のようにガ−ド部材を取り外さなくてもリ−ルを分解して修理することが可能となり、又、フレ−ムおよび両側板の外周面に施されたメッキが剥がれることもなく、リ−ルの外観の意匠性を向上することができる。
又、ガ−ド部材４をフレ−ム１の両側枠部１ａ、１ｂや両側板２、３の外周面αより僅か（１ｍｍ以内）に突出させることにより、リ−ルを握持した際に手に違和感を与えず、且つ滑り止め効果が期待できる。
更に、板状のガ−ド部材４の取り付け位置をリ−ル本体Ａの上方に限定することによって、リ−ルの重量増加を抑制することができると共に、手の小さい釣人にとってはガ−ド部材４でしっかりと握持することが可能となる。又、ガ−ド部材４の形状が簡単で安価に出来る。
ガ−ド部材４を前記フレ−ム１又は前記両側板２、３に固定部材１２を介して固定したことで、ガ−ド部材４のメンテナンスが可能となると共に、色々な形状または色彩のガ−ド部材４を組み込み替えることによって、釣人の好みに応じたリ−ルが選択でき、外観の意匠性が更に向上する。
【実施例２】
【００１４】
図６は第２実施例で、図６は魚釣用両軸受型リ−ルのガ−ド部材とフレ−ムと側板を断面にした要部拡大断面正面図である。
【００１５】
第２実施例では、フレ−ム１の両側枠部１ａ、１ｂの外側の側面に上方に向けて外周面
αより僅か（１ｍｍ以内）に突出させるように板状のガ−ド部材４が固定され、板状のガ
−ド部材４位置の両側板２、３に夫々切欠き２ａ、３ａが形成されて切欠き２ａ、３ａの
中に両側枠部１ａ、１ｂの外側の側面に突出した板状のガ−ド部材４が夫々収容されている。
他の構成は前記第１実施例と略同一である。
【実施例３】
【００１６】
図７は第３実施例で、図７は魚釣用両軸受型リ−ルのガ−ド部材とフレ−ムと側板を断面にした要部拡大断面正面図である。
【００１７】
第３実施例では、厚めの板状のガ−ド部材４′がフレ−ム１の両側枠部１ａ、１ｂの外側の側面に形成された凹部１ｈ、１ｉに夫々嵌め込まれると共に外周面αより上方に僅か（１ｍｍ以内）に突出させるように図示しない固定部材で固定され、凹部１ｈ、１ｉより側面の外側に突出されたガ−ド部材４′は両側板２、３に形成された切欠き２ｂ、３ｂに夫々収容されている。
他の構成は前記第１実施例と略同一である。
【産業上の利用可能性】
【００１８】
前記説明では、魚釣用両軸受型リ−ルを特定しないで述べたが、各形式の魚釣用両軸受型リ−ルに実施してもよい。
【図面の簡単な説明】
【００１９】
【図１】第１実施例で、魚釣用両軸受型リ−ルの正面図である。
【図２】同魚釣用両軸受型リ−ルの平面図である。
【図３】同図２のＦ３−Ｆ３断面線のガ−ド部材とフレ−ムと側板を断面にした要部拡大断面正面図である。
【図４】同魚釣用両軸受型リ−ルの側面図である。
【図５】同魚釣用両軸受型リ−ルの側板のガ−ド部材位置を破截した側面図である。
【図６】第２実施例で、魚釣用両軸受型リ−ルのガ−ド部材とフレ−ムと側板を断面にした要部拡大断面正面図である。
【図７】第３実施例で、魚釣用両軸受型リ−ルのガ−ド部材とフレ−ムと側板を断面にした要部拡大断面正面図である。
【符号の説明】
【００２０】
Ａ  リ−ル本体
１  フレ−ム
２、３  側板
４、４′ガ−ド部材
１１  スプ−ル
１２  固定部材
１３  ハンドル
α  外周面
【図１】
0004607743.tif 000002
【図２】
0004607743.tif 000003
【図３】
0004607743.tif 000004
【図４】
0004607743.tif 000005
【図５】
0004607743.tif 000006
【図６】
0004607743.tif 000007
【図７】
0004607743.tif 000008